(57)【要約】【課題】マルチメディア情報アクセス可能な装置を提供する。【解決手段】モビール・マルチメディア情報アクセス装置（１０）は、モビール・タイプ・メモリ装置（１１０）の内部の情報をアクセスするための入出力インターフェース・ユニット（１０７）と、デジタル電子装置と接続されて情報のアクセスを実行するための情報連結ユニット（１０８）と、情報を表示してユーザーの読み取りに供するLCD表示装置（１１４）と、撮影装置（１１１）より入力される映像情報を受信且つ転換するための映像処理ユニット（１０３）と、音声収集及び発声装置（１１２）より入力される音声情報を受け取るとともに、転換する音声処理ユニット（１０４）と、前記の映像処理ユニット（１０３）と音声処理ユニット（１０４）より入力される情報を受け取り、且つ制御ユニット（１０５）より入力される操作コマンドを受け取って、映像または音声の情報を出力する中央処理装置（１０１）とを有する。【選択図】      図１
0003105139.tif 000002
【実用新案登録請求の範囲】
【請求項１】
モビール・タイプ・メモリ装置（１１０）またはデジタル電子装置と、情報のアクセスを実行するモビール・マルチメディア情報アクセス装置（１０）において、
モビール・タイプ・メモリ装置（１１０）の内部の情報をアクセスするための入出力インターフェース・ユニット（１０７）と、
デジタル電子装置と接続されて情報のアクセスを実行するための情報連結ユニット（１０８）と、
図形または文字の情報を表示してユーザーの読み取りに供するLCD表示装置（１１４）と、
前記のモビール・マルチメディア情報アクセス装置（１０）の要するパワーを提供するパワー・サプライ・ユニット（１０２）と、
前記のモビール・マルチメディア情報アクセス装置（１０）に内装され、映像を撮影することに用いられ、入出力インターフェースを有する撮影装置（１１１）と、
前記の撮影装置（１１１）より入力される映像情報を受信且つ転換するための映像処理ユニット（１０３）と、
前記のモビール・マルチメディア情報アクセス装置（１０）に内嵌され、音声を録音及び再生可能であり、且つ入出力インターフェースを有する音声収集及び発声装置（１１２）と、
前記音声収集及び発声装置（１１２）より入力される音声情報を受け取るとともに、転換を実行するための音声処理ユニット（１０４）と、
前記の映像処理ユニット（１０３）と音声処理ユニット（１０４）より入力される映像または音声の情報を受け取り、且つ制御ユニット（１０５）より入力される操作コマンドを受け取って、映像または音声の情報を出力する中央処理装置（１０１）と、
モビール・マルチメディア情報アクセス装置（１０）に内嵌され、ワイヤレス通信とワイヤレス方式の情報を送受信を実行するワイヤレス通信用電気回路基板（２３）とアンテナ装置（２４）と、
を少なくとも有することを特徴とする、
モビール・マルチメディア情報アクセス装置。
【請求項２】
前記情報連結ユニット（１０８）としてUSB入出力インターフェースを好適に採用することを特徴とする、請求項１に記載のモビール・マルチメディア情報アクセス装置。
【請求項３】
前記情報連結ユニット（１０８）にワイヤレス・ネットワーク装置（１１６）と、モビール通信モジュール（１１５）とを配設し、且つ前記のワイヤレス通信用電気回路基板（２３）と前記のアンテナ装置（２４）と前記の音声収集及び発声装置（１１２）とを合わせて利用することによって、ワイヤレスの通話の機能を提供することを特徴とする、請求項１に記載のモビール・マルチメディア情報アクセス装置。
【考案の詳細な説明】
【技術分野】
【０００１】
本考案は、デジタル情報処理装置に係わり、特に撮影機能と、ワイヤレス通信/通話機能と、デジタル録音機能との複数種の機能を有するモビール・マルチメディア情報アクセス装置に関するものである。
【背景技術】
【０００２】
従来のコンピュータ装置のメモリ装置として利用される物品には、例えば、ハード・ディスク装置やソフト・ディスク装置やコンパクト・ディスクなどのものがあり、その中では、ハード・ディスク装置はコンピュータ装置の本体に固定される情報記憶装置であり、その体積とその重量がすべて大型なものに属するので、携帯には大した不便さを有する。それに対して、ソフト・ディスク装置とコンパクト・ディスクが携帯には最も便利的なメモリ装置であるが、前記のソフト・ディスク装置が記憶容量が少なく、また、コンパクト・ディスクが記憶容量が大きいほうに属するが、一般的な光ディスク・ドライブ装置が単に情報を読み取り可能で、情報を書き込む機能をサポートしていないので、他の光ディスク記録装置を使用しなければならなく、そのため、その利便性には依然として多くの課題が存在している。
【０００３】
前記のそれぞれの課題を解消するためには、当該分野における業者が体積と容量がすべてユーザーに合意させることができるモビール・タイプ・メモリ装置を提案した。例えば、メモリ・カードがその典型的な類型の物品であり、現有のメモリ・カードの種類には、例えば、コンパクト・フラッシュ・カード（CF）や内密デジタル・カード（Secured Digital Card）やマルチメディア・カード（MMC）やメモリ・スチック・カード（MS  Card）やXD-Pictureカードやスマート・メディア・カード（SM Card）などのそれぞれ異なる仕様のメモリ・カード装置がある。目前では、メモリ・カード装置などが既に広範的にPDAやデジタル・カメラやMP3や衛星位置決め装置などの電子製品またはコンピュータ装置に利用され、それらの装置はコンピュータ装置の本体に接続されるカードよりとり装置を介して情報のアクセスを実行できるとともに、大きい記憶容量と携帯に便利であるなどの多くの優れる特性を持っている。
【０００４】
目前では、マーケットにおけるメモリ・カード装置が、例えば前記のようなSDやCFやSMやXDやSMCやMSなどのタイプのカードを有し、これらのメモリ・カード装置の情報を読み取り可能にするために、現在では、一種の複数種のメモリ・カード装置を共用可能なカード読取装置が提案され、コンピュータ装置がその種のカード読取装置を介してそれぞれ異なる種類のメモリ・カード装置における情報をアクセス可能になるが、この種の従来のカード読取装置が単にコンピュータ装置と接続でき、そのため、その使用範囲が制限され、他の電子装置を利用してそのようなメモリ・カード装置における情報を読み取ろうとする場合では、依然としてコンピュータ装置を経由して転移記憶を実行する必要があるので、かなり不便である。
【０００５】
そのため、デジタル・カメラと、デジタル・ビデオと、携帯電話などのマルチメディア式またはデジタル式の電子装置がかなり活躍している現在では、前記に説明した従来のカード読取装置の機能性と相容れ性とを改善する必要があり、そうする場合こそ、複数の機能を整合する目的を図れる。
【考案の開示】
【考案が解決しようとする課題】
【０００６】
本考案は、モビール・タイプ・メモリ装置またはデジタル式の電子装置と、情報をアクセスしあうことができるマルチメディア情報アクセス可能な装置を提供することをその主要な目的とする。
【０００７】
また、本考案は、ワイヤレス通信機能を有するモビール・マルチメディア情報アクセス装置を提供することをその第二の目的とする。
【０００８】
また、本考案は、即刻に情報を表示可能なモビール・マルチメディア情報アクセス装置を提供することをその第三の目的とする。
【課題を解決するための手段】
【０００９】
前記の目的を図るために、本考案は、デジタル・マルチメディア情報を整合し、そのものには、情報と映像と音声などのデジタル・データを適用可能な入出力インターフェースと、中央処理装置（CPU）と、独立のパワー・サプライ・ユニットとを含んでおり、一種のモビール・マルチメディア情報アクセス装置を提供する。その装置は、複数種の仕様のモビール・タイプ・メモリ装置同士（例えば、メモリ・カードかメモリ装置など）の間で情報のアクセスしあうことを実行でき、また、それぞれ異なるタイプのモビール・タイプ・メモリ装置の間で情報の転移記憶操作を実行でき、且つコンピュータ装置（例えば、ノートブック・タイプ・コンピュータ装置やパーソナル・タイプ・コンピュータなど）に接続するか、接続しないなどの状態で前記の作業を実行でき、異なる形式の装置の間で情報をアクセスすることの障害と、転移記憶の障害などのことをなくすことができる。
【００１０】
また、前記の他の目的を図るために、本考案は、入出力インターフェースとワイヤレス通信機能を有する電子装置（例えば、携帯電話やモビール通信モジュールなど）とを整合してそのワイヤレス通信の能力を利用することによって、他のワイヤレス通信能力を有するデジタル電子装置、例えば、パーソナル・コンピュータ装置やノートブック・タイプ・コンピュータ装置や他の類似する装置などと、ワイヤレス通信を実行できるほかに、携帯電話として使用することも実現できる。
【００１１】
また、前記の他の目的を図るために、本考案は、表示装置と音声収集及び発声装置との手段などを利用して図形や文字などの映像音声情報を出力してユーザーの使用に供する物品を提供する。
【００１２】
本考案の好適な実施の形態とその具体的な技術内容については、図面を合わせて下記に詳細的に説明する。
【考案を実施するための最良の形態】
【００１３】
図１は、本考案の構成を示すブロック図であり、本考案によるモビール・マルチメディア情報アクセス装置１０は、中央処理装置（CPU）１０１を有し、この中央処理装置（CPU）１０１は、メモリ・ユニット１１３を備え、前記の中央処理装置１０１の作動コマンドを一時に記憶することができる。
【００１４】
また、モビール・マルチメディア情報アクセス装置１０は、パワー・サプライ・ユニット１０２を有し、これは、ビール・マルチメディア情報アクセス装置１０に、十分な電力を給電する。
【００１５】
また、モビール・マルチメディア情報アクセス装置１０は、コントロール・ユニット１０５を有し、これは、ボタン１９を操作することによって入力される作動コマンドを受信且つ転換してから前記の中央処理装置１０１へ送信するとともに、LED状態表示器１１７にも送信する。
【００１６】
また、モビール・マルチメディア情報アクセス装置１０は、入出力インターフェース・ユニット１０７を有し、これは、タッチ・パネル１４より入力される作動コマンドを中央処理装置１０１に送信する。
【００１７】
また、モビール・マルチメディア情報アクセス装置１０は、映像処理ユニット１０３と音声処理ユニット１０４を有し、これらは、撮影装置１１１と音声収集及び発声装置１１２より入力される映像または音声の情報を受信し、また、前記の操作ボタン１９（またはタッチ・パネル１４など）を介して中央処理装置１０１へ作動コマンドを入力し、映像情報を表示器駆動ユニット１０６へ送信できるとともに、LCD表示装置１１４へも送信でき、ユーザーに観覧させることができる。または、これらは、映像と音声の情報を前記入出力インターフェース・ユニット１０７を介してモビール・タイプ・メモリ装置１１０（CFカードやSDカードやMMCカードやMSカードやXDカードやSMカードなど）へ記憶させることができる。または、音声情報を音声収集及び発声装置１１２を介して再生させることができ、また、前記の中央処理装置１０１が情報連結ユニット１０８を介してコンピュータ装置１０９と接続することによって情報をアクセスする作業と情報の転移記憶の作業とを実行でき、また、モビール通信モジュール１１５とワイヤレス・ネットワーク装置１１６と接続することによってワイヤレス通信の作業か、情報の送受信などの作業を実行できる。
【００１８】
図２ないし図４は、前記の実施の形態の構成を示す説明図であり、本考案のモビール・マルチメディア情報アクセス装置１０には、複数のカード同士を適用する多数カード差込槽（差込口）１１を有し、それが前記の入出力インターフェース・ユニット１０７と接続し、モビール・タイプ・メモリ装置１１０（例えば、MSカードやMS-PROカードやSMCカードやSDカードやMMCカードなど）における内部情報をアクセスすることができる。
【００１９】
また、モビール・マルチメディア情報アクセス装置１０は、XDカード差込槽（差込口）１２を有し、前記の入出力インターフェース・ユニット１０７と接続され、モビール・マルチメディア情報アクセス装置１１０（例えばXDカードなど）における内部情報をアクセスすることができる。
【００２０】
また、モビール・マルチメディア情報アクセス装置１０は、CFカード差込槽（差込口）１３を有し、前記の入出力インターフェース・ユニット１０７と接続され、モビール・マルチメディア情報アクセス装置１１０（例えばCFカードなど）における内部情報をアクセスすることができる。
【００２１】
また、モビール・マルチメディア情報アクセス装置１０は、内部電池２７を有し、それがモビール・マルチメディア情報アクセス装置１０に配設され、装置の所要するパワーを提供できる。
【００２２】
また、前記の情報連結ユニット１０８としてユニバーサル・シリアル・バス・ポート（USBポート）などを使用でき、そのUSB入出力インターフェースには、USBコネクタ１５を有し、USBカードまたはSIMカードなどの手段の差し込むことを受けられる。そのものによって内部の情報をアクセスすることができ、且つそのUSBコネクタ１５が槽部２６より露出され、ユーザーがそのUSBコネクタ１５を引き出して外部で使用することができ、そのものをコンピュータ装置または電子装置に容易に接続できるように設定することができる。また、USB差込槽１６を有し、コンピュータ装置またはデジタル電子装置などにおけるUSBプラグの嵌合の接続に供することができ、相互に情報をアクセスしあうことができる。
【００２３】
また、前記のUSBコネクタ１５またはUSB差込槽１６とを介してコンピュータ装置の本体と接続することができ、その接続されたモビール・タイプ・メモリ装置１１０の内部における情報をアクセスすることができ、また、デジタル電子装置とも接続でき、コンピュータ装置を接続するか、接続しないなどの状態では、相互に内部の情報またはファイルの内容を相互にアクセスしあう二方向の読み取りと書き込みの作業を実行できる。
【００２４】
情報連結ユニット１０８も内嵌式の情報インターフェースを提供しており、モビール通信モジュール１１５とワイヤレス・ネットワーク装置１１６と整合してワイヤレス通信または情報の送受信などの作業を実行できる。
【００２５】
また、モビール・マルチメディア情報アクセス装置１０は、音声収集及び発声装置１１２を有し、これらは、モビール・マルチメディア情報アクセス装置１０に内嵌され、その入出力インターフェースがそれぞれマイクロホン１７とスピーカ１８に接続され、それらのマイクロホン１７の入力孔２０とスピーカ１８の出力孔２５を介して音声情報または音楽情報を受信または発声させることができ、且つデジタル式の録音作業をも実行でき、且つ録音し得た音声情報をモビール・タイプ・メモリ装置１１０に記憶することができ、前記のスピーカ１８の配設のことによって、本装置が、モービル・タイプ・メモリ装置１１０に記憶される音声または音楽の情報を外部へ釈放でき、また、音声外部差込孔２１を有し、そこにマイクロホンやイヤホンなどを差し込み接続することによって録音または再生などの操作を実行できる。
【００２６】
また、モビール・マルチメディア情報アクセス装置１０は、複数個の操作ボタン１９を有し、これらは、LED状態表示器１１７を合わせて使用してもよく、それらによって本装置の情報のアクセスの作業をコントロール及びアクセスすることができ、且つそれらの操作の内容をLCD表示装置１１４に表示することができ、また、前記のLCD表示装置１１４によってモビール・タイプ・メモリ装置１１０内に記憶される情報または写真またはフィルムを表示することができる。
【００２７】
また、モビール・マルチメディア情報アクセス装置１０は、撮影装置１１１を有し、これは、モビール・マルチメディア情報アクセス装置１０に内嵌され、その入出力インターフェースにはCCDレンズ２２が接続されて、且つ前記のモビール・マルチメディア情報アクセス装置１０より露出され、写真を撮ることかフィルムを撮影することなどを実行でき、且つモビール・タイプ・メモリ装置１１０と合わせて撮影し得た写真またはフィルムの情報を前記のモビール・タイプ・メモリ装置１１０に記憶できる。
【００２８】
また、ワイヤレス通信用電気回路基板２３によってモビール通信モジュール１１５とワイヤレス・ネットワーク装置１１６を整合し、且つアンテナ装置２４を合わせてもビール・マルチメディア情報アクセス装置１０内に内嵌され、ワイヤレス通信と情報の送受信とに利用でき、ワイヤレス・ネットワーク装置１１６またはモビール通信モジュール１１５をワイヤレス送受信用のインターフェース・カードとして利用する場合では、ワイヤレスの方式によって他の相同のワイヤレス仕様を有するコンピュータ装置と、モビール・タイプ・メモリ装置１１０における内部収納情報またはファイルを二方向の書き込み及び読み取りのアクセス操作を実行可能に実現できる。また、ワイヤレス・ネットワーク・カード１１６またはモビール通信モジュール１１５をワイヤレス通信のインターフェース・カードとして利用する場合、ワイヤレスの方式によって他の同様なワイヤレス仕様を備える通信装置またはシステムとリンクでき、且つ前記の音声収集及び発声装置１１２と合わせてワイヤレス通話の機能を実現できる。
【産業上の利用可能性】
【００２９】
本考案によると、有用なモビール・マルチメディア情報アクセス装置を提供できる。
【００３０】
また、前記に説明したとおりに、前記に開示される具体的な構成は、単に本考案の実施可能な実施例に過ぎなく、本考案の明細書と実用新案登録請求の範囲に記載される技術の要旨に基づいて本考案と同様な効果を達成可能な他の実施の形態のものも本考案の主張範囲内に納入されるべきことが言うまでもないことである。
【図面の簡単な説明】
【００３１】
【図１】本考案の構成を示すブロック図である。
【図２】本考案の外見を示す斜視図である。
【図３】本考案の構造の他の方向から観察する場合の様子を示す斜視図である。
【図４】本考案の構成を示す分解図である。
【符号の説明】
【００３２】
１１１    撮影装置
１１２    音声収集及び発声装置
１９      操作ボタン
１１７    LED状態表示器
１０３    映像処理ユニット
１０４    音声処理ユニット
１０５    コントロール・ユニット
１１５    モビール通信モジュール
１０２    パワー・サプライ・ユニット
１０１    中央処理装置
１１３    メモリ・ユニット
１０８    情報連結ユニット
１０９    コンピュータ装置
１０６    表示器駆動ユニット
１０７    入出力インターフェース・ユニット
１４      タッチ・パネル
１１６    ワイヤレス・ネットワーク装置
１１４    LCD表示装置
１１０    モビール・タイプ・メモリ装置
【図１】
0003105139.tif 000003
【図２】
0003105139.tif 000004
【図３】
0003105139.tif 000005
【図４】
0003105139.tif 000006